(57)【要約】【課題】  ユーザにクライアント又はサーバという違いを意識させずに簡単な操作でＢｌｕｅｔｏｏｔｈによって他の通信機器とを接続することを目的とする。【解決手段】  ＢＴ−ＡＶ接続開始動作が行われると、音出力先として設定されたＢＴ−ＡＶ接続可能な機器に対して、クライアントとしてＢＴ−ＡＶ接続動作を開始する（ステップＳ４１）。そして、クライアントとして予め定めた時間以内に接続が出来なかった場合は（ステップＳ４６）、接続を試みたＢＴ−ＡＶ接続可能な機器自体がクライアントになれる機器か否かを判断し（ステップＳ４９）、サーバとして待ち受けを開始する。【選択図】  図９
2010063159.tif 000002
【特許請求の範囲】
【請求項１】
近距離無線通信部と、
少なくとも音楽データと、該音楽データを再生する際に出力する音出力先設定とを記憶する記憶部と、
前記記憶部に記憶された音楽データを再生可能な音楽再生部と、
少なくとも前記音楽データを再生するための操作を行う操作部と、
前記近距離無線通信部によって外部の通信機器と近距離無線通信によって接続がなされ、且つ前記音楽再生部によって音楽データが再生されているときに、前記外部の通信機器との近距離無線通信の接続が切断されると、複数の外部の通信機器からの近距離無線通信接続を待ち受ける制御部と
を有することを特徴とする携帯通信機器。
【請求項２】
前記記憶部は、更に近距離無線通信可能な機器のリストを記憶し、
前記制御部は、前記記憶部に記憶された近距離無線通信可能な機器のリストの少なくとも一部の機器からの接続を待ち受けることを特徴とする請求項１に記載の携帯通信機器。
【請求項３】
前記記憶部は、更に外部の通信機器情報を記憶し、
前記制御部は、前記近距離無線通信部によって外部の通信機器と近距離無線通信によって接続がなされ、且つ前記音楽再生部によって音楽データが再生されているときに、前記外部の通信機器との近距離無線通信の接続が切断された場合、
前記接続がなされた前記外部の通信機器が当該携帯通信機器に対して接続要求可能である機器であるか否かを前記記憶部に記憶された外部の通信機器情報に基づいて判断し、
前記外部の通信機器が接続要求可能であると判断された場合、複数の外部の通信機器からの近距離無線通信接続を待ち受けることを特徴とする請求項１又は請求項２に記載の携帯通信機器。
【請求項４】
前記制御部における近距離無線通信接続を待ち受ける際は、予め設定された時間待ち受けを行い、その後待ち受けを中止することを特徴とする請求項１乃至請求項３のいずれか１項に記載の携帯通信機器。
【発明の詳細な説明】
【技術分野】
【０００１】
本発明は携帯通信機器に係り、特にＢｌｕｅｔｏｏｔｈ（ＴＭ）を備えた携帯通信機器に関する。
【背景技術】
【０００２】
近年、携帯型の情報機器の進歩および普及にはめざましいものがある。特に、携帯電話機においては、さまざまな機能を備えたものが出回り始めており、Ｂｌｕｅｔｏｏｔｈ（登録商標、以下ＢＴと称する）を備えた携帯電話機もその例外ではない。
【０００３】
ところで、例えばＢＴ通信システムでは、ＢＴを備えた電子機器（例えば携帯電話）が周辺のＢＴ機器の探索を行い、発見された複数の機器の中から選択した電子機器（例えばヘッドフォン）を通信接続対象とする無線通信方法が採用されている（例えば特許文献１）。
【０００４】
なお、以下ではＢＴ接続の確立手続きにおいて、通信の接続を確立するために必要となる処理要求を出す装置またはその動作を「クライアント」と称し、また、クライアントの要求を受けた後、通信の接続を確立するために必要となる処理結果を出す装置またはその動作を「サーバ」と称すこととする。
【先行技術文献】
【特許文献】
【０００５】
【特許文献１】特開２００２−２６１６８６号公報
【発明の概要】
【発明が解決しようとする課題】
【０００６】
例えば、ＢＴを搭載した電子機器とＢＴ接続可能な電子機器（以下、ＢＴ−ＡＶ機器と記す）とにおいてＢＴによる接続を確立する（以下、ＢＴ−ＡＶ接続と記す）ためには、まず、ＢＴ−ＡＶ接続を確立するための操作を行わなければならないが、そもそも所望の接続先のＢＴ−ＡＶ機器の電源がＯＦＦである場合は接続ができない。そして、クライアント側の接続操作を一旦中止し、サーバ側の電源をＯＮにしてから（接続待ち状態にしてから）再度クライアント側の接続操作を再度行わなければならず、操作も煩雑であり、ＢＴを用いる初心者にとっては難解な操作であった。
【０００７】
更に、ＢＴを搭載した電子機器からＢＴ−ＡＶ機器に対して通信の接続を確立するためには、クライアント又はサーバとしての動作を手動で選択して切替える必要があった。そして、クライアント動作及びサーバ動作各々の動作が独立しているため、一方の動作で接続に失敗した場合は、もう一方の動作に手動で切り替える必要があった。
【０００８】
本発明は上記問題を解決するためになされたもので、ユーザにクライアント又はサーバという違いを意識させずに簡単な操作でＢｌｕｅｔｏｏｔｈによって他の通信機器と接続することを目的とする。
【課題を解決するための手段】
【０００９】
上記目的を達成するために、本発明の携帯通信機器は、近距離無線通信部と、少なくとも音楽データと、該音楽データを再生する際に出力する音出力先設定とを記憶する記憶部と、前記記憶部に記憶された音楽データを再生可能な音楽再生部と、少なくとも前記音楽データを再生するための操作を行う操作部と、前記近距離無線通信部によって外部の通信機器と近距離無線通信によって接続がなされ、且つ前記音楽再生部によって音楽データが再生されているときに、前記外部の通信機器との近距離無線通信の接続が切断されると、複数の外部の通信機器からの近距離無線通信接続を待ち受ける制御部とを有することを特徴とする。
【発明の効果】
【００１０】
本発明によれば、ユーザにクライアント又はサーバという違いを意識させずに簡単な操作でＢｌｕｅｔｏｏｔｈによって他の通信機器と接続できる。
【図面の簡単な説明】
【００１１】
【図１】実施例１に記載の携帯電話機１を１８０度開いたときの外観図。
【図２】実施例１に記載の携帯電話機１を閉じたときの外観図。
【図３】実施例１のディスプレイ５の表示例、キー６の配置の一例、静電タッチパッド１４の操作箇所の配置の一例を示した図。
【図４】実施例１に記載の携帯電話機１の構成を簡潔に示したブロック図。
【図５】実施例１において、携帯電話機１とＢＴヘッドホン２００又はＢＴコンポの接続関係、及びＢＴヘッドホン２００の外観図。
【図６】実施例１に記載のＢＴヘッドホン２００の構成を簡潔に示したブロック図。
【図７】実施例１に記載のＭＰ開始動作を示したフローチャート。
【図８】実施例１に記載のＢＴ−ＡＶ接続開始動作を示したフローチャート。
【図９】実施例１に記載のＭＰ動作・スピーカ／イヤホン出力の動作を示したフローチャート。
【図１０】実施例１に記載のＭＰ動作・ＢＴ−ＡＶ接続機器出力を示したフローチャート。
【図１１】実施例１に記載のＢＴ−ＡＶ接続終了動作・ＢＴ−ＡＶ待受動作を示したフローチャート。
【図１２】実施例１に記載の携帯電話機１がＭＰを起動させたときの一部においてディスプレイ５に表示される表示画面の一例を示したもの。
【図１３】実施例１に記載の携帯電話機１において、ＢＴ−ＡＶ接続している場合にリンクロスが発生した際の説明図。
【発明を実施するための形態】
【００１２】
以下、図面を参照して本発明の実施例を説明する。
【実施例１】
【００１３】
以下に、本発明を携帯電話機に適用した場合における一つの実施の形態を、図面を用いて説明する。図１又は図２は携帯電話機１の外観を示した図であり、また図４は携帯電話機１のブロック図を示したものである。
【００１４】
まず、携帯電話機１の構造を図１と図２を用いて説明する。図１は、携帯電話機１を約１８０度開いた時の外観図である。図１（Ａ）は正面から見た図、図１（Ｂ）は側面から見た図である。
【００１５】
次に、図２は携帯電話機１を閉じた時の図である。図２（Ａ）は正面から見た図、図２（Ｂ）は側面から見た図である。
【００１６】
携帯電話機１は上筐体部２と下筐体部４がヒンジ部３を介して接続されており、上筐体部２にはＬＣＤなどのディスプレイ５、受信した音声を発声するレシーバ９、携帯電話機１の状態を検知するための磁気センサ１１ａ、１１ｃ、カメラ１２、ＬＣＤなどのサブディスプレイ１３、及び静電タッチパッド１４を有している。そして、ディスプレイ５、カメラ１２、及び静電タッチパッド１４は上筐体部２の同一の面上に備えられている。また、下筐体部４には、数字、文字、携帯電話機１の操作等を入力するためのキー６、更には携帯電話機１の操作を行うサイドキー７、集音するためのマイク（送話口）８、及び携帯電話機１の状態を検知するための磁気センサ１１ｂ、１１ｄを有している。
【００１７】
図４は、携帯電話機１の構成を簡潔に示したブロック図である。携帯電話機１の内部には、携帯電話機１全体の制御を行う制御部１０１と、マイク制御部１０８と、スピーカ１０９と、カメラ１２を制御するカメラ制御部１１２と、ＲＯＭ又はＮＡＮＤメモリなどで構成される不揮発性の記憶部１１５と、一時的に記憶する揮発性のＲＡＭ１１１と、ディスプレイ５及びサブディスプレイ１３を表示制御する表示制御部１１３と、キー６、サイドキー７、静電タッチパッド１４の押下を認識する操作部１０６と、アンテナ１１７を用いて無線通信制御を行う通信部１１６と、ＢＴアンテナ１１９を用いて無線通信制御を行うＢＴ通信部１１８と、記憶部１１５に記憶された音楽情報を用いて音楽再生等を行う音楽制御部１０５とを備えており、制御部１０１によって全体が制御されている。
【００１８】
記憶部１１５は、制御部１０１が実行するプログラム、各種の情報データなどが保存されており、また、楽曲情報が記憶されている曲情報記憶部１１５ａと、ＢＴによって接続可能なリストが記憶されているＢＴ接続リスト記憶部１１５ｂと、楽曲を再生する際に音の出力を行う際の出力先の設定が記憶される音出力設定情報記憶部１１５ｃとを有する。
【００１９】
表示制御部１１３は、ディスプレイ５及びサブディスプレイ１３を表示制御するものであり、制御部１０１から出力命令される表示データを表示制御する。
【００２０】
通信部１１６は、制御部１０１によって命令された情報を、無線通信によって送信したり、サーバより無線通信によって送られた情報を受信したりする機能を有する。また、音楽制御部１０５によって行われる音楽再生機能に用いる楽曲等をサーバからダウンロードする際も通信部１１６及びアンテナ１１７を介して行われる。
【００２１】
音楽制御部１０５は、記憶部１１５の曲情報記憶部１１５ａに記憶された楽曲情報の再生指示を制御部１０１より受け付けると、曲情報記憶部１１５ａに記憶された楽曲情報を読み出して再生制御を行う。なお、携帯電話機１のスピーカ１０９及び携帯電話機１に直接接続された図示しないイヤホンによって再生する場合には音楽制御部１０５によってデコード制御され、スピーカ１０９又はイヤホンによって出力するよう制御される。また、ＢＴ通信部１１８を通じて携帯電話機１とは別のＢＴ−ＡＶ機器において音楽を再生する場合には、音楽制御部１０５は曲情報記憶部１１５ａに記憶された楽曲情報を読み出して外部のＢＴ−ＡＶ機器のデコーダに対応する別のファイル方式に変換する制御を行い、ＢＴ通信部１１８を通じて外部のＢＴ−ＡＶ機器へ通信するように制御する。
【００２２】
ＢＴ通信部１１８は、送信するデータをＢＴ接続方式に対応したデータへ変換すること、ＢＴ接続方式によってＢＴアンテナ１１９を通じてデータの送受信を行うことを制御する。また、周辺のＢＴ通信可能な通信機器をサーチすること、データ送受信前のリンクの確立を行うことも周知のとおりＢＴ通信部１１８によって制御が行われる。
【００２３】
カメラ制御部１１２は、制御部１０１によって起動され、カメラ１２から入力された画像は、表示制御部１１３を通じてディスプレイ５などに表示される。
【００２４】
操作部１０６は、キー６及びサイドキー７の押下を認識するキー入力部１０６ａと、静電タッチパッド１４の押下を認識する音楽操作入力部１０６ｂとを有する。キー入力部１０６ａは、数字キーや文字キー、メール編集の決定・中止などのファンクションキーを含む複数のキーの押下をそれぞれ認識することができ、利用者が入力操作したキー６の入力に応じて、キーを識別する識別信号を制御部１０１へ通知し、制御部１０１がその動作を開始する。また、音楽操作入力部１０６ｂは、音楽の再生、停止、一時停止、早送り、巻き戻し、曲選択、音量調節、及びＭｕｓｉｃ  Ｐｌａｙｅｒの起動・停止等の操作を静電タッチパッド１４を介して行われた際にその操作を認識することができる。
【００２５】
図３は、携帯電話機１のディスプレイ５の表示例、キー６の配置の一例、静電タッチパッド１４の操作箇所の配置の一例を示した図であり、図３（Ａ）はディスプレイ５の表示例、図３（Ｂ）はキー６の配置の一例、図３（Ｃ）は静電タッチパッド１４の操作箇所の配置の一例である。図３（Ａ）に示されるように、携帯電話機１のディスプレイ５には、一番上の行（以下上ピクト行とする）には、現在のアンテナ１１７の感度のレベルを示したアンテナピクト５１と、携帯電話機１の現在の電池残量を示した電池ピクト５２と、現在の時刻を表示する時刻表示５３と、ＢＴの起動中に表示されるＢＴアイコン５４と、例えばＭｕｓｉｃ  Ｐｌａｙｅｒ（以下単にＭＰと記す）が起動されているときに表示されるミュージックアイコン５５とが表示されている。ＢＴアイコン５４は、ＢＴの接続中は青い色でアイコンの背景が表示（図の楕円の中が青い色）され、サーバ動作（ＢＴ接続待ち状態）の際には白い色で表示（図の楕円の中が白い色）される。そして、ＢＴ接続がなされていないとき（ＢＴリンクが切断されたときも含む）は消灯するよう制御される。ミュージックアイコン５５は、前述のとおりＭＰが起動されているときに表示されるが、バックグラウンド（以下ＢＧＭと記す）で再生されている時にも表示されており、それ以外のときは消灯するよう制御部１０１に制御される。
【００２６】
携帯電話機１のディスプレイ５の一番下の行（以下下ピクト行とする）には、現在表示されている機能において、ソフトキー左６４・確定キー６５（十字キー６７の中心部）・ソフトキー右６６を押下すると実行される機能の簡単な説明がなされており、それぞれソフトキー左６４については左下ピクト５６、確定キー６５については中下ピクト５７、ソフトキー右６６については右下ピクト５８に説明が表示されている。たとえば、図３（Ａ）のような表示がなされている場合、ソフトキー左６４を押下すると、「戻る」という機能が実行され、確定キー６５を押下すると、図示していないが、現在フォーカスが当たっている機能を選択することができる。また、ソフトキー右６６を押下すると、「サブメニュー」が表示される。
【００２７】
図３（Ｂ）に示されるように、下筐体部４には、キー６として、数字キー６１、「＊」キー６２、「＃」キー６３、ソフトキー左６４、確定キー６５、ソフトキー右６６、十字キー６７、メールキー６８、ブラウザキー６９、通話キー７０、電源キー７１、及びクリアキー７２を有する。数字キー６１は、数字のほかに、かな文字、記号文字、アルファベット等が割り当てられており、例えば、「１」のキーには、数字「１」、「あ」「い」「う」「え」「お」のかな文字、及び「．」「＠」の記号が割り当てられており、「２」のキーには、数字「２」、「か」「き」「く」「け」「こ」のかな文字、及び「Ａ」「Ｂ」「Ｃ」「ａ」「ｂ」「ｃ」などのアルファベットが割り当てられている。また、「＊」キー６２には、「＊」が割り当てられており、更に文字入力状態において記号一覧、絵文字一覧を呼び出すことができる。また、「＃」キー６３には、「＃」が割り当てられており、更に文字入力状態において、数字キー６１による文字入力のトグルを逆にすることができる。
【００２８】
十字キー６７は、上キー・下キー・左キー・右キー及び確定キー６５を有し、当てられたカーソルを上下左右方向に移動することができることに加え、確定キー６５を押下すると、さまざまな機能を確定することができる。また、メールキー６８はメールの送受信機能を呼び出すことができる。また、ブラウザキー６９は、Ｗｅｂなどに接続することができる。
【００２９】
通話キー７０は、主に電話を受ける際や、通常の発信をする際に用いるためのキーであり、電源キー７１は、主に電源のＯＮ・ＯＦＦ、終話の際、及び機能、編集を終了する際に用いる。更に、クリアキー７２は、主に機能・編集をクリアする際、及び文字入力の際に文字を消去する際に用いる。また、クリアキー７２は待受画面において押下すると、メモ帳を呼び出すことができる。
【００３０】
また、図３（Ｃ）に示されるように、静電タッチパッド１４は、見かけ上は一枚のタッチパッドになっているが、図３（Ｃ）の点線丸で示された７箇所にセンサ８１乃至８７が設けられており、ユーザがセンサ８１の設けられている付近をタッチされたことをセンサ８１が検出すると、巻戻し機能を実行され、同様にセンサ８３が反応する箇所をタッチされたことを検出すると早送り機能が実行され、センサ８４が反応する箇所をタッチされたことを検出すると１段階の音量ダウン動作、センサ８６が反応する箇所をタッチされたことを検出すると１段階の音量アップ動作、センサ８７が反応する箇所をタッチされたことを検出すると音楽停止状態では再生動作、音楽再生状態では一時停止動作がそれぞれ実行される。また、センサ８１、８２、８３の順序で所定時間以内にタッチされたことを検出すると（ユーザとしては左から右へのなぞり操作を行うことになる）、数曲先のサーチが実行される。逆に、センサ８３、８２、８１の順序で所定時間以内にタッチされたことを検出すると（ユーザとしては右から左へのなぞり操作を行うことになる）、数曲前のサーチが実行される。更にはセンサ８４、８５、８６の順序で所定時間以内にタッチされたことを検出すると（ユーザとしては左から右へのなぞり操作を行うことになる）、数段階の音量アップ動作が実行される。また、逆にセンサ８６、８５、８４の順序で所定時間以内にタッチされたことを検出すると（ユーザとしては右から左へのなぞり操作を行うことになる）、数段階の音量ダウン動作が実行される。
【００３１】
また、前述のとおり、上筐体部２及び下筐体部４には、上筐体部２、下筐体部４の状態を検出するためのセンサ１１ａ〜１１ｄが設けられている。これらのセンサ１１ａ〜１１ｄは例えば磁気センサにより構成され、センサ同士が一定の距離内で接近した状態で検出信号を出力する。上記各センサ１１ａ〜１１ｄのうち、センサ１１ａと１１ｂとの対は、上筐体部２及び下筐体部４が重なり合っているか否かを検出する。
【００３２】
図５は、ＢＴを搭載した携帯電話機１とＢＴを搭載したＢＴヘッドホン２００、ＢＴを搭載したＢＴコンポ３００とを用いたシステムの一実施形態を示した図である。携帯電話機１はＢＴ通信の接続を確立するために必要となる処理要求を出すこと（クライアント動作）もできるし、他の通信機器から接続要求に対して、通信を確立するために必要な処理を行い応答すること（サーバ動作）もできる。
【００３３】
また、携帯電話機１は、他のＢＴ搭載の通信機器と接続できるが、クライアント動作とサーバ動作との双方が可能なＢＴ通信機器（例えばＢＴヘッドホン２００）や、クライアント動作は不可能で、サーバ動作だけが可能なＢＴ通信機器（例えばＢＴコンポ３００）がある。つまり、携帯電話機１とＢＴヘッドホン２００とは他のＢＴ機器に接続動作を自ら行うことも可能であるし、当然受けることもできる。しかし、ＢＴコンポ３００は自ら他のＢＴ機器に接続することはできず、もっぱらＢＴ接続を受けることしかできない。
【００３４】
図５に示すＢＴヘッドホン２００は、電源のＯＮ／ＯＦＦができる電源キー２１０、ＢＴ通信によって受信した音楽情報の再生を行う再生キー２１１、再生中の音楽を停止する停止キー２１２、及び再生中の音楽を一時停止／再開する一時停止キー２１３を有する。
【００３５】
図６は、ＢＴヘッドホン２００の構成を簡潔に示したブロック図である。ＢＴヘッドホン２００の内部には、ＢＴヘッドホン２００の全体の制御を行う制御部２０１、音楽制御部２０２、ＢＴ通信部２０３、ＢＴアンテナ２０４、スピーカ２０５、入力部２０６、ＲＯＭなどで構成される不揮発性の記憶部２０７、及び一時的に記憶する揮発性のＲＡＭ２０８を有しており、制御部２０１によって全体が制御されている。
【００３６】
記憶部２０７は、制御部２０１が実行するプログラム、各種の情報データなどが保存されている。
【００３７】
入力部２０６は、電源キー２１０などの入力されたことを検知し、その信号を制御部２０１に対して送信する機能を有する。そして、入力部２０６は、再生キー２１１、停止キー２１２、及び一時停止キー２１３などの音楽の再生操作の入力を受け付ける音楽操作入力部２０６ａを有する。
【００３８】
ＢＴ通信部２０３は、ＢＴ接続方式によってＢＴアンテナ２０４を通じてデータの送受信を行うことを制御する。また、周辺のＢＴ通信可能な通信機器をサーチすること、及びデータ送受信前のリンクの確立を行うことも周知のとおりＢＴ通信部２０３によって制御が行われる。
【００３９】
音楽制御部２０２は、他のＢＴ機器と接続し、音楽再生をＢＴヘッドホン２００で行う際に、他のＢＴ機器から送信されてきた音楽ファイルをデコードして再生を行う機能を有する。
【００４０】
なお、本発明の前提として、ＭＰを起動させる前にＢＴを起動させ、携帯電話機１とＢＴ−ＡＶ接続によって接続するべきリストを得ておく必要がある。携帯電話機１の確定キー６５を押下すると、図示しないメニュー画面が表示される。その状態で、メニューの中からＢＴのメニューを選択して、そのメニューの中からサーチ操作が選択されると、サーチが行われる。その時点で周辺に存在する複数のＢＴ通信可能な通信機器から、それぞれの機器が有するデバイス名情報、アドレス情報、機器種別情報、サービス情報等が記憶されている図示しないＢＴテーブルをロードしてくる。
【００４１】
次に、そのロードしたＢＴテーブルのサービス情報をチェックして、どのようなサービスが実行できるのかを調べて、通信可能なリモートデバイスを確認する。そして、通信可能なリモートデバイスがあれば、リモートデバイスの一覧リスト（それぞれの周辺機器のＢＴテーブルに基づくリスト）を無線通信装置の表示部に表示する。そして、そのリスト情報をＢＴ接続リスト記憶部１１５ｂに記憶する。
【００４２】
以上に記載したように、携帯電話機１とＢＴ−ＡＶ接続によって接続するべきリストを得ておく必要がある。そして、この動作と共に、携帯電話機１と接続するＢＴ−ＡＶ機器（例えばＢＴヘッドホン２００）との相互認証のためのＰＩＮコードの交換もこの時点で行う。なお、リストを得る段階でＰＩＮコードの交換を行わないように設定し、後に記載する図７乃至図１２の流れの中で、接続を確立する段階でＰＩＮコードを交換するようにしてもよい。
【００４３】
次に、本発明の実施例における携帯電話機１によって音楽再生を行った際のフローについて、図７乃至図１３を参照して説明する。本発明に係る携帯電話機１の動作は以下のように分かれる。  
（１）ＭＰ開始動作（図７）
（２）ＢＴ−ＡＶ接続開始動作（図９）
（３）ＭＰ動作・スピーカ／イヤホン出力（以下ＳＰ／ＥＰ出力と記す）（図８）
（４）ＭＰ動作・ＢＴ−ＡＶ接続機器出力（図１０）
（５）ＢＴ−ＡＶ接続終了動作・ＢＴ−ＡＶ接続待受動作（図１１）
以下、それぞれの動作に分けて説明する。なお適宜図１２の図面を用いて説明する。図１２は携帯電話機１が動作しているときのディスプレイ５の表示画面の一例を示したものである。
【００４４】
［（１）ＭＰ開始動作］
ＭＰ開始動作について説明する。図７はＭＰを起動した際の動作を示したフローチャートである。まず、携帯電話機１の通常の待受状態からＭｕｓｉｃ  Ｐｌａｙｅｒ（ＭＰ）が起動されたかを判断する（ステップＳ１１）。なお、ＭＰの起動方法としては、確定キー６５の押下によるメニューからの呼出（再生を伴わないＭＰ起動）、サイドキー７の所定時間の押下による呼出（再生を伴うＭＰ起動）、静電タッチパッド１４の所定時間の押下による呼出（再生を伴うＭＰ起動）等が挙げられる。再生を伴う起動とは例えば起動と同時に再生を行う起動であり、再生を伴わない起動とは、起動と同時に再生を行わない場合（前回曲再生を行っていたものの途中の状態で一時停止状態も含む）を指す。
【００４５】
そして、ＭＰが起動されると（ステップＳ１１「Ｙｅｓ」）、ＢＧＭでの音楽再生中であるかを判断し（ステップＳ１２）、ＢＧＭでの音楽再生中であると判断された場合（「Ｙｅｓ」）はＢＴによってＢＴ−ＡＶ接続中であるかを判断する（ステップＳ１３）。また、ステップＳ１２において、ＢＧＭ再生中ではないと判断された場合（「Ｎｏ」）はＢＴ−ＡＶ接続の待受中であるか判断する（ステップＳ１４）。
【００４６】
次に、ステップＳ１３において、ＢＴ−ＡＶ接続中であると判断された場合（「Ｙｅｓ」）は、ＢＧＭの楽曲データの再生が、ＭＰ上つまりフォアグラウンドでの再生（以下ＦＧＭ）に単に移行しただけであって、曲の途中であってもそのまま出力しているＢＴ−ＡＶ機器から音楽が流れ続ける（ステップＳ１３の「Ｙｅｓ」方向、＜１＞図１０ステップＳ６０−２へ遷移する）。
【００４７】
一方、ステップＳ１３において、ＢＴ−ＡＶ接続中ではないと判断された場合（「Ｎｏ」）は、ＳＰ／ＥＰ出力設定のプレイヤ動作で楽曲データを再生する。この場合も、ＳＰ／ＥＰの出力におけるＢＧＭ再生が、単にＦＧＭ再生へ移行しただけであって、曲の途中であってもそのまま出力しているスピーカ１０９又はイヤホンから途切れることなく音出力がなされる（ステップＳ１３の「Ｎｏ」方向、＜２＞図８ステップＳ３１−２へ進む）。
【００４８】
ステップＳ１４において、ＢＴ−ＡＶ接続の待受中であるか否かを判断した結果、ＢＴ−ＡＶ接続の待受中であると判断された場合（ステップＳ１４「Ｙｅｓ」）、ＢＴ−ＡＶ接続の待受を継続つまりサーバとして接続待ちを継続する（＜６＞、図９のステップＳ５０）。
【００４９】
一方、ステップＳ１４において、ＢＴ−ＡＶ待受中であるか否かを判断した結果、ＢＴ−ＡＶ接続の待受中ではないと判断された場合（「Ｎｏ」）、ＢＴ−ＡＶ接続中か否かを判断する（ステップＳ１５）。
【００５０】
そして、ＢＴ−ＡＶ接続中であると判断した場合は（ステップＳ１５「Ｙｅｓ」）、ＢＴ−ＡＶ接続中の出力先に対してプレイヤ動作を行う（＜３＞、図１０のステップＳ６０）。なお、このプレイヤ動作を行う際は、例えばステップＳ１１においてＭＰを起動された際に再生を伴うＭＰ起動である場合にはプレイヤ動作（再生）を行い（ステップＳ６０−２）、再生を伴わないＭＰ起動である場合には、プレイヤ動作（一時停止）を行う（ステップＳ６０−３）。この遷移は一例であり、図１０で示されたステップＳ６０の枠のどの状態（再生・停止・一時停止）に遷移するように設定しても良い。
【００５１】
一方、ステップＳ１５において、ＢＴ−ＡＶ接続中ではないと判断された場合（ステップＳ１５「Ｎｏ」）、音出力設定情報記憶部１１５ｃに記憶されている音出力先設定を読み出し、ＢＴ−ＡＶ機器に設定されているか否かを判断する（ステップＳ１６）。
【００５２】
そして、ステップＳ１６において、音出力設定情報記憶部１１５ｃに記憶されている音出力先設定がＢＴ−ＡＶ機器ではないと判断された場合（「Ｎｏ」）、ＳＰ／ＥＰによる接続によってプレイヤ動作を行う（＜５＞、図８のステップＳ３１へ進む）。なお、このプレイヤ動作を行う際は、例えばステップＳ１１においてＭＰを起動された際に再生を伴うＭＰ起動である場合にはプレイヤ動作（再生）を行い（ステップＳ３１−２）、再生を伴わないＭＰ起動である場合には、プレイヤ動作（一時停止）を行う（ステップＳ３１−３）。この遷移は一例であり、図８で示されたステップＳ３１の枠のどの状態（再生・停止・一時停止）に遷移するように設定しても良い。
【００５３】
一方、ステップＳ１６において、音出力設定情報記憶部１１５ｃに記憶されている音出力先設定がＢＴ−ＡＶ機器に設定されていた場合（ステップＳ１６「Ｙｅｓ」）、その設定されているＢＴ−ＡＶ機器にクライアントとしてＢＴ−ＡＶ接続を開始する（＜４＞、図９のステップＳ４１へ進む）。この場合、プレイヤを前回起動した際の音出力先設定が音出力設定情報記憶部１１５ｃに記憶されているため、その設定がそのまま生かされることになる。従って、プレイヤを起動する都度、設定をする手間を省くことができる。
【００５４】
なお、ＭＰ開始動作は図７のフローチャートに記載した流れで起動することに限定しない。つまり、例えばステップＳ１１においてＭＰを起動された場合、ＢＧＭ再生中であって且つＢＴ−ＡＶ接続中である場合は、＜１＞（図１０）へ遷移するように設計されればよい。同様に、例えばステップＳ１１においてＭＰを起動された場合に、ＢＧＭ再生中ではなく、ＢＴ−ＡＶ接続の待受中ではなく、ＢＴ−ＡＶ接続中ではなく、且つ音出力設定情報記憶部１１５ｃの設定がＢＴ−ＡＶ機器に設定されている場合は、＜４＞（図９）へ遷移するように設計されればよい。
【００５５】
なお、ステップＳ１１においてＭＰを起動された場合に、ＢＧＭ再生中でなく、ＢＴ−ＡＶ接続の待受け中ではなく、ＢＴ−ＡＶ接続中でない場合は、音出力設定情報記憶部１１５ｃの設定に従って＜４＞（図９）または＜５＞（図８）へ遷移するようにしたが、ここでの再生はＦＧＭ又はＢＧＭのどちらにしてもよい。例えば、ＢＧＭにした場合、フォアグラウンドでの他の操作（例えば、Ｅメール作成など）を継続しつつ音楽の再生ができることになり、ユーザの利便性をより向上することができる。
【００５６】
なお、ステップＳ１１においてＭＰを起動された場合に、ＢＧＭ再生中でなく、ＢＴ−ＡＶ待受け中ではなく、ＢＴ−ＡＶ接続中でなく、ＢＧＭで音楽を再生する場合は、ステップＳ１６で判断した結果に関わらず、音出力先を常にＳＰ／ＥＰにするようにしてもよいし、音出力先設定がＢＴ−ＡＶ機器の場合（ステップＳ１６「Ｙｅｓ」）に、ＢＧＭ再生を禁止するようにしてもよい。このようにすることで、フォアグラウンドで他の操作（例えば、Ｅメール作成など）をしている際に、バックグラウンドでＢＴ−ＡＶ接続開始動作が実行されなくなるため、ユーザが操作の状態をより平易に把握することができるよう
になる。
【００５７】
［（２）ＢＴ−ＡＶ接続開始動作］
次に、ＢＴ−ＡＶ接続開始動作について図９を用いて説明する。図９は、ＢＴ−ＡＶ接続開始動作を開始した際のフローチャートである。ＢＴ−ＡＶ接続開始動作は、（Ａ）ＭＰを起動されたとき（ステップＳ１１）、ＢＧＭ再生中ではなく、ＢＴ−ＡＶ接続の待受中ではなく、ＢＴ−ＡＶ接続中ではなく、且つ音出力設定情報記憶部１１５ｃの設定がＢＴ−ＡＶ機器に設定されている場合（図７＜４＞からの遷移）、及び（Ｂ）ＳＰ／ＥＰ接続によるＭＰ起動中に音出力先設定の変更を行い、且つその変更がＢＴ−ＡＶ機器へ変更した場合（図８＜７＞からの遷移）に行われる。
【００５８】
まず、上記のようにＢＴ−ＡＶ接続開始動作が行われると、音出力先として設定されたＢＴ−ＡＶ機器（例えば、以下ＢＴヘッドホン２００に設定されたとして説明する。）に対して、クライアントとしてＢＴ−ＡＶ接続動作（例えばＡＶプロファイルによる接続）を開始する（ステップＳ４１）。その際に制御部１０１は、ディスプレイ５に図１２（Ｇ）に示された画面を表示するよう制御する。その後、クリアキー７２又は電源キー７１による接続中止操作がなされたか否かを判断する（ステップＳ４２）。その際、接続中止操作がなされた場合は（「Ｙｅｓ」）、ＢＴヘッドホン２００との接続を終了する（ステップＳ４３）。そして、制御部１０１は、ディスプレイ５に図１２（Ｃ）に示された表示を行わせる。そして、音出力設定をＳＰ／ＥＰ接続として設定する（図８の＜８＞へ遷移）。
【００５９】
一方、接続中止操作が検出されなかった場合、クライアント動作によってＢＴ−ＡＶ接続ができたか否かを判断する（ステップＳ４４）。
【００６０】
そして、ＢＴ−ＡＶ接続ができた場合、音出力設定情報記憶部１１５ｃに記憶されている音出力先情報を接続できたＢＴ−ＡＶ機器（この場合はＢＴヘッドホン２００）に設定を書き換える（ステップＳ４５）。その後、ＢＴ−ＡＶ接続によってプレイヤ動作（停止）を行う（＜９＞図１０ステップＳ６０−１に遷移する）。その場合、制御部１０１は図１２（Ｈ）に示すような表示をディスプレイ５に表示する。
【００６１】
一方、ＢＴ−ＡＶ接続ができたと判断されなかった場合は（ステップＳ４４の「Ｎｏ」）、クライアントとして接続開始した時間から所定時間が経過したか（タイムアウトしたか）否かを判断し、タイムアウトしていない場合は再度ステップＳ４２に戻る（ステップＳ４６の「Ｎｏ」）。なお、タイムアウトの時間としては短すぎても接続率の低下につながり、逆に長すぎても接続待ち時間がかかりすぎるためユーザにとっても好ましくなく、数秒（５秒程度）が望ましい。
【００６２】
そして、ステップＳ４４・Ｓ４６において、所定時間（タイムアウトまでの時間）までにクライアントとして接続できなかった場合、（ステップＳ４６の「Ｙｅｓ」）、クライアントとして接続を試みたＢＴ−ＡＶ接続の動作を終了する（ステップＳ４７）。次に、接続失敗事由として接続を試みた際に認証失敗（ＰＩＮコードによる携帯電話機１とＢＴ−ＡＶ機器との認証）による接続失敗であったか否かを判断する（ステップＳ４８）。これは、認証失敗による接続失敗の場合は再度ＰＩＮコードを受け付け、ＢＴ−ＡＶ機器との認証を行う必要があるからである。
【００６３】
そして、認証失敗による接続失敗ではない場合（ステップＳ４８の「Ｎｏ」）には、その接続したＢＴ−ＡＶ機器（ＢＴヘッドホン２００）自身がクライアントとして動作可能な機器であるか否かを判断する（ステップＳ４９）。このクライアントとして動作可能な機器であるかの判断方法については後述する。
【００６４】
そして、接続を試みたＢＴ−ＡＶ機器がクライアントになれる機器であると判断された場合（ステップＳ４９の「Ｙｅｓ」）、次にサーバとしてＢＴ−ＡＶ接続待ちを開始する（ステップＳ５０）。なおこの際のサーバとして接続待ちを行うＢＴ−ＡＶ接続可能な機器としては、先ほどクライアントとして接続を試みたＢＴ−ＡＶ機器（この場合はＢＴヘッドホン２００）だけを設定しても良いし、ＢＴ接続リスト記憶部１１５ｂに記憶された全てのＢＴ−ＡＶ機器（この場合はＢＴヘッドホン２００だけでなく、ＢＴコンポ３００など他の機器も含む）に対して接続待ちを行うようにしてもよい。
【００６５】
また、制御部１０１は、図１２（Ｅ）に表示された表示をディスプレイ５に表示する。
【００６６】
これによってユーザは、接続しようと試みているＢＴ−ＡＶ機器の電源がうっかりＯＦＦになっていた場合にその旨をユーザに知らせることができ、ユーザにＢＴ−ＡＶ機器の電源をＯＮにすることを促すことができる。
【００６７】
次に、ステップＳ５０において、サーバとしてＢＴ−ＡＶ接続待ち動作が行われると、その後、クリアキー７２又は電源キー７１等による接続中止操作がなされたか否かを判断する（ステップＳ５１）。
【００６８】
その後、接続中止操作がなされた場合は（「Ｙｅｓ」）、ＢＴヘッドホン２００との接続を終了する（ステップＳ５２）。そして、制御部１０１は図１２（Ｆ）に示された表示をディスプレイ５に表示し、更に音出力設定をＳＰ／ＥＰ接続として設定する（図８の＜８＞へ遷移）。
【００６９】
一方、接続中止操作が検出されなかった場合、サーバ動作によってＢＴ−ＡＶ接続ができたか否かを判断する（ステップＳ５３）。
【００７０】
そして、ＢＴ−ＡＶ接続ができた場合、音出力設定情報記憶部１１５ｃに記憶されている音出力先情報を接続できたＢＴ−ＡＶ機器として設定を書き換える（ステップＳ５４）。その後、ＢＴ−ＡＶ接続によってプレイヤ動作（停止）を行う（＜９＞図１０ステップＳ６０−１に遷移する）。その場合、制御部１０１は図１２（Ｈ）に示すような表示をディスプレイ５に表示する。
【００７１】
一方、ＢＴ−ＡＶ接続ができたと判断されなかった場合は（ステップＳ５３の「Ｎｏ」）、クライアントとして接続開始した時間から所定時間を過ぎたか（タイムアウトしたか）否かを判断し、タイムアウトしていない場合は再度ステップＳ５１に戻る（ステップＳ５５の「Ｎｏ」）。なお、サーバとして接続待ちを行う際のタイムアウトの時間としてはステップＳ５０においてユーザに案内を表示してから、ユーザが接続先の電源を入れる程度の時間を待つ必要があるため、数十秒〜１分程度が望ましい。
【００７２】
そして、ステップＳ５３・Ｓ５５において、所定の時間（タイムアウトの時間）以内にサーバとして接続できなかった場合（ステップＳ５５の「Ｙｅｓ」）、サーバモードの動作を終了する（ステップＳ５６）。その後、制御部１０１は、図１２（Ｄ）に示された表示をディスプレイ５に表示し、更に音出力設定をＳＰ／ＥＰ接続として設定する（＜８＞図８のステップＳ３５へ進む）。
【００７３】
なお、ステップＳ４８において、失敗事由が認証の失敗であった場合（ステップＳ４８の「Ｙｅｓ」）、ステップＳ４９において接続を試みたＢＴ−ＡＶ接続可能な機器がクライアントになれないと判断された場合（ステップＳ４９の「Ｎｏ」）において、制御部１０１は、それぞれ図１２（Ａ）、図１２（Ｂ）に示された表示をディスプレイ５に表示し、更に、音出力設定をＳＰ／ＥＰ接続として設定する（＜８＞図８のステップＳ３５へ遷移）。
【００７４】
なお、ステップＳ４８において、接続失敗事由が認証の失敗であった場合（「Ｙｅｓ」）、＜８＞（図８）に遷移して、ＳＰ／ＥＰ接続に設定することに限定することなく、接続失敗事由が認証の失敗であった場合、再度その接続を試みたＢＴ−ＡＶ機器のＰＩＮコードの認証を行うためのＰＩＮコードを受けつけ、その後、再度ステップＳ４１に戻り、そのＢＴ−ＡＶ機器にクライアントとして接続を再度試みるように設定しても良い。
【００７５】
なお、このＢＴ−ＡＶ接続動作において最初にクライアントとして接続を実施し、失敗した際にサーバモード動作を実施するようにしたが、この動作を入れ替えても同様の効果が得られる。また、携帯電話機１とクライアント動作可能なＢＴ−ＡＶ機器（例えばＢＴヘッドホン２００）が同時にクライアント接続動作を実施した場合においても、本実施例の動作を繰り返すことにより、通信の接続を確立することができる。
【００７６】
（ＢＴ−ＡＶ接続可能な機器がクライアントになれるかの判断）
次に、ステップＳ４９における、接続を試みたＢＴ−ＡＶ機器がクライアントになれるか否かを判断方法について詳細を説明する。以下の（Ａ）〜（Ｄ）の４つの方法が考えられるが、その方法のいずれか及びそれらの組み合わせによって実現する。  
（Ａ）特に判断をせず、クライアントになれると推定する
ステップＳ４９に遷移した場合、特に判断を行うことなく、クライアントになれると推定し、常にステップＳ５０に遷移する。
【００７７】
（Ｂ）周辺機器リストを登録する際に、クライアントになれるか否かの情報を同時に設定しておく
前述したように、ＭＰを起動する前に周辺機器リストをＢＴのサーチによって得ておきＢＴ接続リスト記憶部１１５ｂに記憶しおく必要があるが、そのリストを得たとき（表示されたとき）に、それぞれのＢＴ−ＡＶ接続可能な機器に対して、その機器がクライアントとして接続可能か否かの情報をそれぞれの機器情報と関連付けてＢＴ接続リスト記憶部１１５ｂに記憶しておき、ステップＳ４９に遷移した場合、その情報を読み出して、クライアントになれるか否かを判断する。
【００７８】
（Ｃ）周辺機器リストをサーチする際にロードする情報から判断する
周辺機器リストをサーチして、ロードする情報にはサービス情報（例えばＢＴの規格では「ＳＤＤＢ」といわれる箇所に格納されたサービスレコード）が含まれているが、そのサービス情報のＳｕｐｐｏｒｔｅｄ  Ｆｅａｔｕｒｅｓ情報に基づいてその機器がクライアントになれるか否かを判断する。このＳｕｐｐｏｒｔｅｄ  Ｆｅａｔｕｒｅｓ情報はその機器がどの端末の分類にあるかの情報が記載されており、その分類に応じて携帯電話機１の記憶部１１５にこの分類の情報と予めクライアントになれるかなれないかの情報（図示しない）とを関連付けて設定しておき、その情報に基づいて接続されたＢＴ−ＡＶ機器がクライアントになれるか否かを判断することが考えられる。具体的には、例えば、予めＳｕｐｐｏｒｔｅｄ  Ｆｅａｔｕｒｅｓ情報でＨｅａｄｓｅｔを示すフラグがセットされていたらクライアント及びサーバになれるＢＴ−ＡＶ機器と判断し，それ以外のフラグがセットされている場合にはサーバにしかなれないＢＴ−ＡＶ機器と判断するといったように、それぞれの情報と関連付けて記憶部１１５に記憶しておき、ステップＳ４９の判断の際には、その関連付けた情報に基づいて、接続を試みていた機器がクライアントになれるか否かを判断する。
【００７９】
また、そのほか、サービス情報の予め定めた箇所（例えばＢＴの規格ではサービス情報の「Ｐｒｏｖｉｄｅｒ  Ｎａｍｅ」のデータ）にＢＴ−ＡＶ機器自身がクライアントになれるか否かの情報をいれるようにしておき、実際携帯電話機１がＢＴテーブルに記載された上記サービス情報よって、それぞれのＢＴ−ＡＶ機器がクライアントになれるか否かがわかる。そして、ステップＳ４９の判断の際は、そのＢＴテーブルの情報に基づきクライアントになれるか否かを判断するようにしてもよい。
【００８０】
（Ｄ）ＢＴ−ＡＶ機器からクライアントによって接続された際に、クライアントが可能である情報を記録しておき、その情報を基づいて判断する
ＢＴ接続リスト記憶部１１５ｂに記憶されているＢＴ−ＡＶ接続可能な機器と携帯電話機１とでＢＴ接続を行う際に、ＢＴ−ＡＶ接続可能な機器（例えばＢＴヘッドホン２００）がクライアントとして接続した場合には（携帯電話機１はサーバとして接続した場合）
、ＢＴ接続リスト記憶部１１５ｂに記憶されている接続したＢＴ−ＡＶ接続可能な機器（例えばＢＴヘッドホン２００）とクライアントが可能である情報とを関連付けて記憶しておく。そして、ステップＳ４９のクライアントになれるか否かの判断においては、そのクライアントが可能である情報が記録されているか否かで判断する。
【００８１】
［（３）ＭＰ動作・ＳＰ／ＥＰ出力］
次に、図８を用いて、ＭＰ動作・ＳＰ／ＥＰ出力動作（以下単にＳＰ／ＥＰ出力動作と記す）について説明する。図８は、ＳＰ／ＥＰ出力によって曲情報記憶部１１５ａに記憶された楽曲を再生する際のフローチャートを示した図である。
【００８２】
まず、ＳＰ／ＥＰ出力動作は、ＭＰ開始動作において、（Ａ）ＭＰを起動しＢＧＭ再生中かつＢＴ−ＡＶ接続中ではないとき（＜２＞図７）、及び（Ｂ）ＭＰを起動し、ＢＧＭ再生中ではなく、ＢＴ−ＡＶ接続の待受中ではなく、ＢＴ−ＡＶ接続中ではなく、且つ音出力先設定がＢＴ−ＡＶ機器ではない場合（＜５＞図７）等に行われる。
【００８３】
ＳＰ／ＥＰ出力動作は、上記の動作がなされると、スピーカ１０９からの楽曲の再生（ステップＳ３１−２）／停止（ステップＳ３１−１）／一時停止（ステップＳ３１−３）が行われる。これらを総称してＳＰ／ＥＰプレーヤ再生と記す（ステップＳ３１）。なお、楽曲の再生（ステップＳ３１−２）／停止（ステップＳ３１−１）／一時停止（ステップＳ３１−３）のそれぞれはキー６の操作、静電タッチパッド１４の操作によってそれぞれ遷移可能である。そして、ＳＰ／ＥＰプレーヤ再生中に、制御部１０１は、ソフトキー右６６の押下によるサブメニューを呼び出して、音出力先設定項目画面が呼び出されたか否かを判断する（ステップＳ３２）。そして、音出力先設定項目画面が呼び出されていないと判断された場合は、ＳＰ／ＥＰプレーヤ再生を継続する（ステップＳ３２の「Ｎｏ」）。
【００８４】
一方、制御部１０１が音出力設定項目画面が呼び出されたと判断された場合、図８のステップＳ３３に記載されたような表示をディスプレイ５に表示する（ステップＳ３３）。
【００８５】
なお、このディスプレイ５に表示される項目としては、ＢＴ接続リスト記憶部１１５ｂに記憶されている周辺機器リストの全てのＢＴ−ＡＶ機器と「ＢＴ接続ＯＦＦ」とを表示する。なお、音出力先が現在ＢＴ−ＡＶ機器である場合は、「ＢＴ接続ＯＦＦ」のみを選択可能な表示にし、現在の音出力先がＳＰ／ＥＰである場合は、「ＢＴ接続ＯＦＦ」のみを選択不可能にするように表示してもよい。更には、現在の音出力先のみ選択不可能に表示するようにしてもよい。
【００８６】
次に、ステップＳ３３において、音出力先設定のいずれかが選択された場合は、制御部１０１はその選択された音出力先設定がＢＴ−ＡＶ機器であるか否かを判断する（ステップＳ３４）。そして、選択された音出力先設定がＢＴ−ＡＶ機器である場合は（ステップＳ３４「Ｙｅｓ」）、その機器に対してＢＴ−ＡＶ接続を開始する（＜７＞図９）。
【００８７】
一方、選択された音出力先設定がＢＴ−ＡＶ機器ではないと判断された場合は（ステップＳ３４「Ｎｏ」）、音出力先設定をスピーカ１０９又はイヤホン（ＳＰ／ＥＰ）に設定する（ステップＳ３５）。
【００８８】
そして、その旨を音出力設定情報記憶部１１５ｃに記憶する。そして、制御部１０１は、ステップＳ３６に示された表示をディスプレイ５に表示する。その後、ＳＰ／ＥＰ出力によって楽曲再生動作（停止）に遷移する（ステップＳ３１−１）。
【００８９】
［（４）ＭＰ動作・ＢＴ−ＡＶ接続機器出力］
次に、ＭＰ動作・ＢＴ−ＡＶ接続機器出力（以下ＢＴ−ＡＶ出力と記す）について説明する。図１０はＭＰ動作・ＢＴ−ＡＶ出力の際のフローチャートである。
【００９０】
まず、ＢＴ−ＡＶ出力動作は、ＭＰ開始動作において、（Ａ）ＭＰを起動しＢＧＭ再生中かつＢＴ−ＡＶ接続中であるとき（＜１＞図７）、（Ｂ）ＭＰを起動し、ＢＧＭ再生中ではなく、ＢＴ−ＡＶ接続の待受中ではなく、且つＢＴ−ＡＶ接続中である場合（＜３＞図７）、及び（Ｃ）ＢＴ−ＡＶ出力が接続成功した場合（＜９＞図９ステップＳ４５・ステップＳ５４）等に行われる。
【００９１】
ＢＴ−ＡＶ出力動作は、上記の動作がなされると、ＢＴ−ＡＶ機器（例えばＢＴヘッドホン２００のスピーカ２０５）からの、楽曲の再生（ステップＳ６０−２）／停止（ステップＳ６０−１）／一時停止（ステップＳ６０−３）が行われる。これらを総称してＢＴ−ＡＶプレーヤ再生と記す（ステップＳ６０）。なお、楽曲の再生／停止／一時停止のそれぞれの遷移は以下のようになる。
【００９２】
まず、停止中に再生操作（例えば静電タッチパッド１４のセンサ８７の箇所の押下）がなされると、再生動作に移る。また、再生中に一時停止操作（例えばＢＴヘッドホン２００の一時停止キー２１３の押下）がなされると一時停止動作に移り、再生再開操作（例えば静電タッチパッド１４のセンサ８７の箇所の押下）がなされると、再生動作に移る。
【００９３】
また、再生動作中に停止操作がなされると、その停止操作がＢＴ−ＡＶ機器からの停止操作か否かを判断する（ステップＳ６０−４）。そして、ＢＴ−ＡＶ機器からの停止操作ではなく、携帯電話機１からの停止操作である場合は（ステップＳ６０−４の「Ｎｏ」）、停止動作に移る（ステップＳ６０−１）。
【００９４】
一方、再生動作中にＢＴ−ＡＶ機器からの停止操作（例えばＢＴヘッドホン２００の停止キー２１２の押下）がなされると、ＢＴ−ＡＶ接続を切断し、クライアント動作又はサーバ動作を終了し、ＢＴ−ＡＶ接続の終了動作へ遷移する（＜１１＞、図１１のステップＳ７３へ遷移）。
【００９５】
そして、ＢＴ−ＡＶプレーヤ再生中（ステップＳ６０）に、ＢＴ−ＡＶ接続中に禁止されている操作（例えば携帯電話機１のキー６、静電タッチパッド１４による音量調節操作・早送り・巻戻し操作等は操作を行ってもＢＴヘッドホン２００側の制御には反映されない操作は禁止されているものとしている）、がなされたか否かを判断し（ステップＳ６１）、なされていない場合には、ＢＴ−ＡＶプレーヤ再生に戻り（「Ｎｏ」）、禁止されている操作がなされたと判断された場合にはステップＳ６２に示されている表示をディスプレイ５に表示し、操作を無効とする（ステップＳ６２）。そして、その後所定時間が経過すると、ＢＴ−ＡＶプレーヤ再生に戻る。
【００９６】
また、ＢＴ−ＡＶプレーヤ再生中（ステップＳ６０）に、制御部１０１は、ソフトキー右６６の押下によるサブメニューを呼び出して、音出力先設定項目画面が呼び出されたか否かを判断する（ステップＳ６６）。そして、音出力先設定項目画面が呼び出されていないと判断された場合は、ＢＴ−ＡＶプレーヤ再生を継続する（ステップＳ６６の「Ｎｏ」）。
【００９７】
一方、制御部１０１が音出力設定項目画面が呼び出されたと判断された場合、図８のステップＳ３３に記載されたような表示をディスプレイ５に表示する（＜１０＞図８）。
【００９８】
［（５）ＢＴ−ＡＶ接続終了動作・ＢＴ−ＡＶ接続待受動作］
次に、ＢＴ−ＡＶ接続終了動作・ＢＴ−ＡＶ接続待受動作について図１１を用いて説明する。図１１は、ＢＴ−ＡＶ接続開始動作を開始した際、及び再度待受け動作に移行する際のフローチャートである。ＢＴ−ＡＶ接続終了動作は、（Ａ）ＢＴ−ＡＶ接続中に楽曲再生しているとき（図１０のステップＳ６０）に携帯電話機１のキー６によってＭＰ終了操作がなされた場合（ステップＳ７１から遷移）、及び（Ｂ）ＢＴ−ＡＶ接続中に楽曲再生しているとき（図１０のステップＳ６０）にＢＴ−ＡＶ機器から停止操作（ステップＳ６０−４の「Ｙｅｓ」、＜１１＞）がなされた場合（ステップＳ７３から遷移）に行われる。
【００９９】
まず、上記（Ａ）ＢＴ−ＡＶ接続中に楽曲再生しているとき（図１０のステップＳ６０）に携帯電話機１のキー６によってＭＰ終了操作がなされたか否かを判断する（ステップＳ７１）。そして、終了操作がなされると（「Ｙｅｓ」）、ステップＳ７２に示すような表示をディスプレイ５に表示し、ＢＧＭで再生を続けるか、終了するか、終了をキャンセルするかの選択をユーザに促す（ステップＳ７２）。そして、キャンセル操作がなされた場合には再度ＢＴ−ＡＶプレーヤ再生を再開する。また、ＢＧＭで再生を続けることを選択される（［ＢＧＭ再生］が選択された場合）と、ディスプレイ５の表示は待受画面に戻るが、ＢＧＭにおいて再生が継続される（ステップＳ７４）。なお、ＢＧＭによる再生中もＢＧＭ停止、ＢＧＭ一時停止の各状態にキー６、サイドキー７又は、静電タッチパッド１４による操作で遷移することができる。
【０１００】
一方、ステップＳ７２に示された表示がディスプレイ５に表示された際に、ＭＰを終了する操作（例えば電源キー７１の押下）がなされた場合、及びＢＧＭ再生中にＢＧＭ再生終了操作がなされた場合は、楽曲の再生動作を終了させ、更にはＢＴ−ＡＶ接続していたクライアント動作又はサーバ動作を終了する（ステップＳ７３）。なお、前述のとおり、ＢＴ−ＡＶプレーヤ再生がなされているときにＢＴ−ＡＶ接続された機器からの停止操作がなされた場合においても（上記（Ｂ）の場合）、楽曲の再生動作を終了させ、更にはＢＴ−ＡＶ接続していたクライアント動作又はサーバ動作を終了する。
【０１０１】
次に、今まで接続していたＢＴ−ＡＶ機器はクライアントとして動作可能か否かを判断する（ステップＳ７５）。この判断方法は、前述したステップＳ４９の判断方法と同じであるため、その説明を省略する。
【０１０２】
次に、接続していたＢＴ−ＡＶ機器が、クライアントになれると判断された場合（ステップＳ７５の「Ｙｅｓ」）、次にサーバとしてＢＴ−ＡＶ接続待ちを開始する（ステップＳ７６）。なおこの際のサーバとして接続待ちを行うＢＴ−ＡＶ機器としては、先ほどクライアントとして接続を試みたＢＴ−ＡＶ機器（この場合はＢＴヘッドホン２００）だけを設定しても良いし、ＢＴ接続リスト記憶部１１５ｂに記憶された全てのＢＴ−ＡＶ機器（この場合はＢＴヘッドホン２００だけでなく、ＢＴコンポ３００など他の機器も含む）に対して接続待ちを行うようにしてもよい。
【０１０３】
次に、サーバ動作によってＢＴ−ＡＶ接続ができたか否かを判断する（ステップＳ７７）。そして、接続できなかったと判断された場合は（「Ｎｏ」）、サーバとして接続待ちを開始した時間から所定時間を過ぎたか否か（タイムアウトしたか）を判断する（ステップＳ７８）。そして、いまだ所定時間を過ぎていないと判断された場合には（ステップＳ７８の「Ｎｏ」）、ステップＳ７９に示すようなＢＴ−ＡＶ待受画面を表示し、再度ステップＳ７７に戻り、ＢＴ−ＡＶ接続できたか否かを判断する。
【０１０４】
一方、ステップＳ７７において、ＢＴ−ＡＶ接続ができた場合（「Ｙｅｓ」）、音出力設定情報記憶部１１５ｃに記憶されている音出力先情報を接続できたＢＴ−ＡＶ機器として設定を書き換える（ステップＳ８０）。その後、ＢＴ−ＡＶ接続によってＢＧＭ再生する場合にはステップＳ７４に示されたＢＧＭによる再生が行なわれる（＜１３＞に遷移）。
【０１０５】
また、ステップＳ７８において、所定時間を過ぎた場合（タイムアウトした場合）は（「Ｙｅｓ」）、サーバとして接続していたＢＴ−ＡＶ接続動作を終了する（ステップＳ８２）。そして、待受画面に戻る（ステップＳ８３）。
【０１０６】
なお、ステップＳ７４のＢＧＭ再生中、ステップＳ７９によるＢＴ−ＡＶ接続待受画面、ステップＳ８１のＢＧＭ再生しなかった場合、及びステップＳ８３の待受画面が表示されている場合において、ＭＰ起動操作がなされると、再度ＭＰ起動として動作を行う（＜１２＞図７へ遷移）。
【０１０７】
なお、ステップＳ７９によるＢＴ−ＡＶ接続待受画面において、ＭＰ以外のメニュー（例えば、ＢＴ設定メニュー）から、ＢＴ−ＡＶ接続待ちを停止することができるようにしてもよい。この操作によって、ＢＴ−ＡＶ接続待ちが停止された場合は、音出力設定情報記憶部１１５ｃに記憶されている音出力先情報をＳＰ／ＥＰに設定に書き換えるようにしてもよい。あるいは、音出力先情報は変更せず、単にＢＴ−ＡＶ接続待ちのみを停止するようにしてもよい。
【０１０８】
なお、ステップＳ７９によるＢＴ−ＡＶ接続待受画面において、静電タッチパッド１４で音楽の再生動作が実行された場合は、ＢＧＭ再生を禁止するか、音出力先をＳＰ／ＥＰにしてＢＧＭ再生をするようにしてもよい。このようにすることで、バックグラウンドでＢＴ−ＡＶ接続開始動作が実行されなくなるため、ユーザが操作の状態をより平易に把握することができるようになる。
【０１０９】
図１３は、ＢＴ−ＡＶ接続している場合にリンクロスが発生した際の説明図である。ＢＴ−ＡＶリンクロスは、携帯電話機１と、ＢＴ−ＡＶ機器（例えばＢＴヘッドホン２００）との距離が離れたことなどによるものであって、具体的には、ステップＳ３３の音出力設定時、又はステップＳ６０のＢＴ−ＡＶ接続でのＭＰ起動中においてなどが考えられる。このとき、リンクロスが発生すると、例えば図１３のステップＳ９０に示される表示をディスプレイ５に表示し、その後、音出力先設定をＳＰ／ＥＰに設定する（＜８＞図８に遷移）。
【０１１０】
なお、本発明の実施の形態においては、携帯電話機１を例にとって説明したが、これに限定されるものではなく、他の携帯通信機器において（例えばＰＤＡ、ＰＨＳ等）適用できる。また、ＢＴについて実施例を記載したが、それ以外の近距離無線通信や有線通信によるその他の手段を用いてもよい。例えば、近距離無線通信では、ＩｒＤＡや無線ＬＡＮ等を利用してもよい。また、有線通信では、ＲＳ−２３２、ＵＳＢ、ＩＥＥＥ１３９４、１０Ｂａｓｅ−ＴのようなＬＡＮインタフェース等を利用してもよい。
【０１１１】
本発明の実施の形態によれば、ＢＴ−ＡＶ接続を行った際に、クライアントとして接続を試み、接続先のＢＴ−ＡＶ機器が電源ＯＦＦである場合等、接続できなかった場合に、サーバとして再度接続することが出来る。これによって、ユーザはより少ない操作でＢＴ−ＡＶ機器と接続する事が出来る。
【０１１２】
また、クライアント動作又はサーバ動作を終了した場合、音出力先として接続したＢＴ−ＡＶ機器がクライアントになれる場合に、移動機はサーバモードで接続待ち（ＢＴ−ＡＶ接続の待受け）を開始することができるので、サーバの動作のみ実現するＢＴ−ＡＶ機器に対して、携帯電話機１はＢＴ−ＡＶ接続の待受けとはならないので、消費電流を抑えることができる。
【符号の説明】
【０１１３】
１  携帯電話機
２  上筐体部
３  ヒンジ部
４  下筐体部
５  ディスプレイ
６  キー
７  サイドキー
８  マイク（送話口）
９  レシーバ
１１ａ、１１ｂ、１１ｃ、１１ｄ  センサ
１２  カメラ
１３  サブディスプレイ
１４  静電タッチパッド
５１  アンテナピクト
５２  電池ピクト
５３  時刻表示
５４  ＢＴアイコン
５５  ミュージックアイコン
５６  左下ピクト
５７  中下ピクト
５８  右下ピクト
６１  数字キー
６２  「＊」キー
６３  「＃」キー
６４  ソフトキー左
６５  確定キー
６６  ソフトキー右
６７  十字キー
６８  メールキー
６９  ブラウザキー
７０  通話キー
７１  電源キー
７２  クリアキー
８１〜８７  センサ
【図１】
2010063159.tif 000003
【図２】
2010063159.tif 000004
【図３】
2010063159.tif 000005
【図４】
2010063159.tif 000006
【図５】
2010063159.tif 000007
【図６】
2010063159.tif 000008
【図７】
2010063159.tif 000009
【図８】
2010063159.tif 000010
【図９】
2010063159.tif 000011
【図１０】
2010063159.tif 000012
【図１１】
2010063159.tif 000013
【図１２】
2010063159.tif 000014
【図１３】
2010063159.tif 000015